(57)【要約】【課題】湯張りと保温を行うふろ自動運転において安全性と快適性を両立可能な給湯システムを提供すること。【解決手段】湯水を加熱する給湯器と、浴槽と、前記給湯器と前記浴槽を接続すると共に前記浴槽に湯張りし且つこの湯張りされた湯水を循環するための循環通路と、前記給湯器に対する操作を行う操作手段と、前記浴槽内の人を検知する人検知手段を備えた給湯システムにおいて、前記浴槽の湯張り時に、浴槽目標温度より設定温度だけ低い初期湯張り温度に湯張りし、前記人検知手段により前記浴槽内の人を検知しない場合には、前記浴槽の湯水を前記初期湯張り温度で保温し、前記人検知手段により前記浴槽内の人を検知した場合には、設定遅延時間経過後に前記浴槽の湯水を前記浴槽目標温度に加熱し、前記設定遅延時間は、前記初期湯張り温度に応じて設定されている。【選択図】図３
2018084383.tif 000002
【特許請求の範囲】
【請求項１】
湯水を加熱する給湯器と、浴槽と、前記給湯器と前記浴槽を接続すると共に前記浴槽に湯張りし且つこの湯張りされた湯水を循環するための循環通路と、前記給湯器に対する操作を行う操作手段と、前記浴槽内の人を検知する人検知手段を備えた給湯システムにおいて、
前記浴槽の湯張り時に、浴槽目標温度より設定温度だけ低い初期湯張り温度で湯張りし、
前記人検知手段により前記浴槽内の人を検知しない場合には、前記浴槽の湯水を前記初期湯張り温度に保温し、
前記人検知手段により前記浴槽内の人を検知した場合には、設定遅延時間経過後に前記浴槽の湯水を前記浴槽目標温度に加熱し、
前記設定遅延時間は、前記初期湯張り温度に応じて設定されていることを特徴とする給湯システム。
【請求項２】
前記設定遅延時間は、前記初期湯張り温度が高いほど長くなるように設定されていることを特徴とする請求項１に記載の給湯システム。
【請求項３】
前記設定温度は、前記操作手段の操作により変更可能であることを特徴とする請求項１または２に記載の給湯システム。
【請求項４】
前記給湯システムは、浴室温度検知手段を備え、
前記浴室温度検知手段により検知された浴室温度が所定の基準浴室温度以上の場合に前記設定遅延時間が短くなるように変更されることを特徴とする請求項１〜３のいずれか１項に記載の給湯システム。
【請求項５】
前記給湯システムは、外気温度検知手段を備え、
前記外気温度検知手段により検知された外気温度が所定の基準外気温度以上の場合に前記設定遅延時間が短くなるように変更されることを特徴とする請求項１〜４のいずれか１項に記載の給湯システム。
【請求項６】
前記人検知手段は、浴槽水位検知手段であり、
前記初期湯張り温度の湯張り状態における前記浴槽水位検知手段により検知された浴槽水位が所定の基準水位以下の場合に前記設定遅延時間が短くなるように変更されることを特徴とする請求項１〜５のいずれか１項に記載の給湯システム。
【発明の詳細な説明】
【技術分野】
【０００１】
本発明は、設定された浴槽目標温度よりも低温で湯張りを行い、その後の人の入浴を検知すると、設定された遅延時間の経過後に浴槽の湯水を浴槽目標温度に加熱する給湯システムに関する。
【背景技術】
【０００２】
従来から、給湯システムに備えられた操作手段の操作により設定された湯量と湯温で湯張り運転とその後の保温運転を自動実行するように構成された給湯システムが広く使用されている。給湯システムが湯量と湯温を制御するので、入浴の準備が簡単であり、快適な入浴をすることができる。
【０００３】
このような給湯システムとして、例えば特許文献１の自動風呂装置が知られている。この自動風呂装置は、人が入浴するまで予め設定された湯温（浴槽目標温度）より２〜３℃低い温度で保温運転を行い、人の入浴を検知すると、所定時間（例えば３〜５分）経過後に浴槽の湯水を浴槽目標温度に加熱する。この構成により、特に冬季において冷えた体が浴槽の湯水を熱く感じる程度を軽減し、体が湯水の温度に慣れてきたら浴槽目標温度まで温度を上げてぬるく感じないようにしている。
【０００４】
ところで、入浴中の事故が冬季に多く発生し、特に高齢者の入浴事故が年々増加している。例えば、厚生労働省の平成２４・２５年の調査「入浴関連事故の実態把握及び予防対策に関する研究」によれば、入浴事故の死亡者数は全国で年間約19,000人と推計され、今後も社会の高齢化の進展と共に増加すると予測される。
【０００５】
入浴事故の要因として、主にのぼせとヒートショック等による血圧変動が考えられている。この血圧変動は、入浴直後の温熱刺激により交感神経が亢進し、皮膚血管が収縮することで血圧が一時的に上昇した後、体が温まることにより収縮した血管が拡張することで血圧が低下する現象である。特に冬季は気温が低いため、入浴前に皮膚血管が収縮した状態になり、入浴直後にさらに皮膚血管が収縮するので、血圧の変動が大きくなり易い。
【０００６】
一方、入浴時の水圧により下肢や腹部の血液が上半身側に押し上げられて血圧が上昇する。このとき浴槽内で急に立ち上がることにより血圧が急に下がって脳虚血状態となり、一過性の意識障害を起こすことがある。このような血圧変動は、高齢者においては脳疾患や心臓疾患等の引き金となる場合もある。
【先行技術文献】
【特許文献】
【０００７】
【特許文献１】特公平７−８１７３５号公報
【発明の概要】
【発明が解決しようとする課題】
【０００８】
このような入浴時の血圧変動を抑えて入浴事故を防ぐためには、特許文献１の発明では人が入浴していないときの浴槽温度や入浴検知後の所定時間をどのように設定すれば入浴時の血圧変動を抑制することができるか不明である。従って、特許文献１の発明では、これらの設定によっては却って血圧変動を大きくしてしまう虞があり、また、快適性を損なう虞もあるため、入浴の安全性と快適性を両立することが困難である。
【０００９】
そこで本出願人は、入浴実験を行って入浴と血圧変動の関係を突き止め、この関係に基づいて温度制御を行う給湯システムを発明した。本発明の目的は、湯張りと保温を行うふろ自動運転において安全性と快適性を両立可能な給湯システムを提供することである。
【課題を解決するための手段】
【００１０】
第１の発明は、湯水を加熱する給湯器と、浴槽と、前記給湯器と前記浴槽を接続すると共に前記浴槽に湯張りし且つこの湯張りされた湯水を循環するための循環通路と、前記給湯器に対する操作を行う操作手段と、前記浴槽内の人を検知する人検知手段を備えた給湯システムにおいて、前記浴槽の湯張り時に、浴槽目標温度より設定温度だけ低い初期湯張り温度で湯張りし、前記人検知手段により前記浴槽内の人を検知しない場合には、前記浴槽の湯水を前記初期湯張り温度に保温し、前記人検知手段により前記浴槽内の人を検知した場合には、設定遅延時間経過後に前記浴槽の湯水を前記浴槽目標温度に加熱し、前記設定遅延時間は、前記初期湯張り温度に応じて設定されていることを特徴としている。
【００１１】
上記構成によれば、入浴開始時の浴槽の湯水温度が浴槽目標温度より設定温度だけ低い初期湯張り温度であるため、入浴時の血圧変動を抑えることができるので安全性を確保できる。また、入浴開始から初期湯張り温度に応じた設定遅延時間が経過した後、浴槽の湯水が浴槽目標温度に加熱されることにより、速やかに入浴者が設定した湯温での入浴が可能なので快適性を確保できる。
【００１２】
第２の発明は、第１の発明において、前記設定遅延時間は、前記初期湯張り温度が高いほど長くなるように設定されていることを特徴としている。
【００１３】
上記構成によれば、初期湯張り温度に応じて設定遅延時間が設定されていることにより、血圧変動が大きくならないので安全性を確保できる。さらに、初期湯張り温度が低いほど浴槽目標温度に加熱するタイミングが早くなるので、快適性を一層向上させることができる。
【００１４】
第３の発明は、第１または第２の発明において、前記設定温度は、前記操作手段の操作により変更可能であることを特徴としている。
【００１５】
上記構成によれば、入浴開始時の初期湯張り温度を入浴者が必要に応じて設定できるので、快適性を向上させることできる。
【００１６】
第４の発明は、第１〜第３の発明のいずれかにおいて、前記給湯システムは、浴室温度検知手段を備え、前記浴室温度検知手段により検知された浴室温度が所定の基準浴室温度以上の場合に前記設定遅延時間が短くなるように変更されることを特徴としている。
【００１７】
上記構成によれば、浴室温度が基準浴室温度以上に暖かい場合には、設定遅延時間を短縮しても安全性を確保できると共に、設定遅延時間の短縮により快適性を一層向上させることができる。
【００１８】
第５の発明は、第１〜第４の発明のいずれかにおいて、前記給湯システムは、外気温度検知手段を備え、前記外気温度検知手段により検知された外気温度が所定の基準外気温度以上の場合に前記設定遅延時間が短くなるように変更されることを特徴としている。
【００１９】
上記構成によれば、外気温度が基準外気温度以上に暖かい場合には、設定遅延時間を短縮しても安全性を確保できると共に、設定遅延時間の短縮により快適性を一層向上させることができる。
【００２０】
第６の発明は、第１〜第５の発明のいずれかにおいて、前記人検知手段は、浴槽水位検知手段であり、前記初期湯張り温度の湯張り状態における前記浴槽水位検知手段により検知された浴槽水位が所定の基準水位以下の場合に前記設定遅延時間が短くなるように変更されることを特徴としている。
【００２１】
上記構成によれば、湯張り状態の浴槽水位が基準水位以下の場合には、設定遅延時間を短縮しても安全性を確保できると共に、設定遅延時間の短縮により快適性を一層向上させることができる。
【発明の効果】
【００２２】
本発明によれば、湯張りと保温を行うふろ自動運転において安全性と快適性を両立可能な給湯システムを提供することができる。
【図面の簡単な説明】
【００２３】
【図１】本発明の給湯システムの概略図である。
【図２】給湯システムの操作手段の操作ボタンを示す図である。
【図３】実施例に係るふろ自動運転の浴槽の湯水の温度制御を示す図である。
【図４】初期湯張り温度に対応する遅延時間を示す図である。
【図５】実施例に係るふろ自動運転制御のフローチャートである。
【発明を実施するための形態】
【００２４】
以下、本発明を実施するための形態について実施例に基づいて説明する。
【実施例】
【００２５】
最初に、本発明の給湯システム１の全体構成について、図１に基づいて説明する。
給湯システム１は、給湯器２と浴槽３を有し、給湯器２と浴槽３が循環通路４により接続されている。また、給湯システム１は、給湯器２に対する操作を行う操作手段（リモコン５）と、浴槽３内の人を検知する人検知手段（水位センサ６）を備えている。浴槽３が設置された浴室には、浴室温度検知手段（浴室温度センサ７）が設けられている。
【００２６】
給湯器２は、バーナ８における燃料ガスの燃焼熱を利用して湯水を加熱するガス給湯器であり、給湯熱交換器９と追焚熱交換器１０と、給湯熱交換器９において上水を加熱する給湯通路１１と、追焚熱交換器１０において浴槽３の湯水を加熱する追焚通路１２等を備えている。追焚通路１２には、追焚熱交換器１０より上流側に循環ポンプ１３が介装され、給湯通路１１から分岐された湯張り通路１４が循環ポンプ１３を介して追焚通路１２に接続されている。
【００２７】
追焚通路１２には、循環ポンプ１３の上流側に水圧により浴槽３の水位（浴槽水位）を検知するための浴槽水位検知手段である水位センサ６が配設され、循環ポンプ１３の下流側に浴槽３の湯水温度（浴槽温度）を検知する浴槽温度検知手段（浴槽温度センサ１５）が配設されている。
【００２８】
また、給湯器２は、屋外の温度を検知する外気温度検知手段（外気温度センサ１６）と給湯運転等を制御する制御手段１７を備えている。リモコン５、水位センサ６、浴室温度センサ７、外気温度センサ１６等は制御手段１７と通信可能に接続され、リモコン５の操作や検知データに基づいて制御を行うように構成されている。
【００２９】
循環通路４は、追焚通路１２の上流端に接続されたふろ戻り通路部４ａと追焚通路１２の下流端に接続されたふろ往き通路部４ｂで構成されている。循環ポンプ１３を作動させて浴槽３の湯水をふろ戻り通路部４ａから追焚熱交換器１０に送って加熱し、加熱した湯水をふろ往き通路部４ｂから浴槽３に戻すことができる。また、給湯熱交換器９で加熱された湯水を湯張り通路１４と追焚通路１２を介して循環通路４から浴槽３に湯張りすることができる。
【００３０】
リモコン５は浴槽３が設置された浴室に配設され、入浴者の操作により追焚運転の実行や給湯温度の設定等を行うことができる。浴室以外の給湯使用する場所にリモコン５とは別のリモコンを備えていてもよい。尚、リモコン５は、浴室温度センサ７を備えていてもよく、追焚通路１２に設けられた水位センサ６の代わりに超音波等により浴槽３の水位を検知可能な水位センサと、赤外線等により人を検知する人検知手段を備えていてもよい。
【００３１】
図２に示すように、リモコン５は、複数の操作スイッチ（以下、スイッチをＳＷと省略する）を有し、運転ＳＷ２１、ふろ自動ＳＷ２２、追焚ＳＷ２３、給湯温度ＳＷ２４、ふろ湯量ＳＷ２５、ふろ温度ＳＷ２６、表示部２７等を有する。運転ＳＷ２１は、燃焼待機状態と燃焼不能状態を切り換えるものであり、燃焼待機状態のときに制御手段１７が制御する各種運転が行われる。
【００３２】
燃焼待機状態のときにふろ自動ＳＷ２２の操作によりふろ自動運転が開始されると、浴槽３への湯張り運転と湯張り完了後の保温運転を行う。追焚ＳＷ２３は、入浴者が浴槽温度を浴槽目標温度Ｔｇに加熱するために追焚運転を行うためのものである。給湯温度ＳＷ２４は給湯温度の設定を変更するために使用され、ふろ湯量ＳＷ２５及びふろ温度ＳＷ２６は、夫々浴槽湯水量及び浴槽温度の設定を変更するために使用される。尚、給湯温度ＳＷ２４等は、誤操作防止のために通常はカバー２８により覆われている。
【００３３】
次に、制御手段１７によるふろ自動運転における浴槽温度の可変制御（以下、安心入浴と呼ぶ）について説明する。
ここで入浴とは、湯張りした浴槽３内に人が座って湯に浸かることである。また、実験で突き止めた入浴と血圧変動の関係は、下記（１）〜（３）である。
（１）血圧は入浴開始時から上昇して収縮期血圧の最高値となった後、徐々に低下する。
（２）浴槽温度が高いほど（１）の収縮期血圧の最高値が高くなる。
（３）（１）の収縮期血圧の最高値が高いほど収縮期血圧の最高値となるまでの時間が長くなる。
【００３４】
図３に示すように、安心入浴は上記（１）〜（３）の関係に基づいて、収縮期血圧の最高値を低くして血圧変動を小さくするために、入浴開始時の浴槽温度を浴槽目標温度Ｔｇより設定温度Ｔｄだけ低い初期湯張り温度Ｔｓにしておく。初期湯張り温度Ｔｓは、リモコン５の操作により浴槽目標温度Ｔｇと設定温度Ｔｄを夫々設定して定まる温度である。設定温度Ｔｄは例えば１〜３℃の範囲で設定可能であり、浴槽目標温度Ｔｇは例えば３４〜４８℃の範囲で設定可能である。
【００３５】
時刻ｔ１で入浴を開始してから時刻ｔ２までの間に収縮期血圧の最高値となった後血圧が低下し始める。この時間を設定遅延時間ｔｃとして、入浴を開始してから設定遅延時間ｔｃが経過したら、入浴者が望む温度で入浴することができるように浴槽温度を浴槽目標温度Ｔｇにするために加熱を開始する。時刻ｔ３で浴槽温度が浴槽目標温度Ｔｇになったら加熱を終了する。設定遅延時間ｔｃは、図４に示す初期湯張り温度Ｔｓに対応する遅延時間ｔｗを演算して設定する。
【００３６】
入浴前の浴室温度や外気温度が所定の基準温度以上の場合、入浴前に寒さによる皮膚血管の収縮が起き難く血圧が上昇しないため入浴時の収縮期血圧の最高値が高くならないので、早く浴槽目標温度Ｔｇでの入浴ができるように、浴室温度や外気温度に応じて設定遅延時間ｔｃを短縮する。また、浴槽３の湯張りした水位が所定の基準水位以下の場合にも、水圧による血圧上昇が小さいため収縮期血圧の最高値が高くならないので、浴槽水位に応じて設定遅延時間ｔｃを短縮する。
【００３７】
設定遅延時間ｔｃは、遅延時間ｔｗと、浴室温度、外気温度、浴槽水位に基づいて、下記式（ａ）により演算して設定される。係数Ｔａ、Ｔｏ、Ｗｌは夫々浴室温度、外気温度、浴槽水位を反映する係数であり、これら係数を例えば０．５〜１の範囲の値に設定して演算する。
ｔｃ＝ｔｗ×Ｔａ×Ｔｏ×Ｗｌ  …（ａ）
【００３８】
遅延時間ｔｗは、上記（１）〜（３）の関係を反映させて、初期湯張り温度Ｔｓが高いほど長くしている。係数Ｔａ、Ｔｏ、Ｗｌは、夫々対応する浴室温度、外気温度、浴槽水位を夫々所定の基準浴室温度、基準外気温度、基準水位と比較して、所定の条件が成立した場合に遅延時間ｔｗを短縮するように値を設定する。基準浴室温度、基準外気温度、基準水位は、給湯システム１の構成や設置環境に応じて予め設定されている。
【００３９】
所定の条件として、例えば浴室温度が基準浴室温度（例えば２０℃）以上であれば入浴前に血管収縮によって血圧が上昇しないため、入浴時の収縮期血圧の最高値が高くならないので遅延時間ｔｗを短縮し、基準浴室温度未満であれば係数Ｔａを１として遅延時間ｔｗを短縮しない。同様に、外気温度が基準外気温度（例えば１８℃）以上であれば遅延時間ｔｗを短縮し、基準外気温度未満であれば係数Ｔｏを１として遅延時間ｔｗを短縮しない。また、浴槽水位が基準水位（例えば２５ｃｍ）以下の場合には水圧による血圧上昇が小さいため、入浴時の収縮期血圧の最高値が高くならないので遅延時間ｔｗを短縮し、基準水位より高い浴槽水位であれば係数Ｗｌを１として遅延時間ｔｗを短縮しない。
【００４０】
遅延時間ｔｗの短縮は、係数Ｔａ、Ｔｏ、Ｗｌを上記範囲内で変更して行う。係数Ｔａの値に応じて係数Ｔｏと係数Ｗｌが採り得る値の範囲を制限してもよく、さらに係数Ｔｏの値に応じて係数Ｗｌが採り得る値の範囲を制限してもよい。例えば、係数Ｔａが０．５の場合に係数Ｔｏと係数Ｗｌは夫々０．８〜１の範囲に制限され、このとき係数Ｔｏが０．８であれば係数Ｗｌが０．９〜１の範囲に制限されて、遅延時間ｔｗを過度に短縮することを防ぐ。
【００４１】
また、遅延時間ｔｗの短縮は、検知した浴室温度と基準浴室温度との温度差、外気温度と基準外気温度との温度差、浴槽水位と基準水位との差に基づいて対応する係数Ｔａ、Ｔｏ、Ｗｌを決定するように構成してもよい。浴室温度、外気温度、浴槽水位の全てを反映させて遅延時間ｔｗを短縮してもよく、これらのうちの２つまたは１つを反映させて遅延時間ｔｗを短縮してもよい。
【００４２】
浴槽目標温度Ｔｇは、リモコン５を操作して設定可能な浴槽温度である。安心入浴が設定されていない場合には、給湯器２に設けられた浴槽温度センサ１５により検知される温度が浴槽目標温度Ｔｇになるように保温運転が行われる。浴室温度と外気温度は、夫々浴室温度センサ７と外気温度センサ１６により検知され、浴槽水位は、水位センサ６により検知される。湯張り状態で浴槽３に人が入ると水位が上昇するので、水位センサ６はこの水位上昇を利用して浴槽３内の人を検知する人検知手段として利用される。
【００４３】
次に、ふろ自動運転制御について図５に基づいて説明する。図中のＳｉ（ｉ＝１，２…）はステップを表す。
最初にＳ１において、ふろ自動ＳＷ２２の操作により、ふろ自動運転が開始される。ふろ自動運転は、浴槽３の湯張りとその後の保温を予め設定された保温時間（例えば４時間）行うものである。尚、保温時間はリモコン５の操作により適宜変更可能である。また、ふろ自動運転中にふろ自動ＳＷ２２が操作された場合には、湯張りまたは保温を止めてふろ自動運転制御を終了する。
【００４４】
次にＳ２において、ふろ自動運転に安心入浴が設定されているか否か判定する。安心入浴が設定されており判定がＹｅｓの場合はＳ３に進み、安心入浴が設定されておらず判定がＮｏの場合はＳ１５に進む。
【００４５】
Ｓ３において、初期湯張り温度Ｔｓで浴槽３に湯張りを行う。ここでは例えば浴槽目標温度Ｔｇを４０℃、設定温度Ｔｄを２℃に予め設定してあるものとして、初期湯張り温度Ｔｓは３８℃である。
【００４６】
次にＳ４において、浴室温度センサ７により浴室温度を検知する。次にＳ５において、外気温度センサ１６により外気温度を検知する。次にＳ６において、水位センサ６により湯張り状態の浴槽水位を検知する。ここでは、例えば浴室温度が２２℃、外気温度が２０℃、浴槽水位が３６ｃｍと検知されたものとする。
【００４７】
次にＳ７において、Ｓ４〜Ｓ６で検知した浴室温度、外気温度、浴槽水位と、初期湯張り温度Ｔｓに対応する遅延時間ｔｗに基づいて、設定遅延時間ｔｃを上記式（ａ）により演算して設定する。ここでは初期湯張り温度Ｔｓが３８℃なので、遅延時間ｔｗは１６秒である（図４参照）。また、浴室温度と外気温度が夫々基準浴室温度と基準外気温度より高いので、遅延時間ｔｗを短縮するため例えば係数Ｔａを０．５、係数Ｔｏを０．８とし、浴槽水位が基準水位より高いので、浴槽水位による遅延時間ｔｗの短縮をせず、係数Ｗｌを１とする。このとき設定遅延時間ｔｃは６．４秒に設定される。
【００４８】
次にＳ８において、ふろ自動運転開始から保温時間が経過していないか判定する。保温時間が経過しておらず判定がＮｏの場合はＳ９に進む。保温時間が経過して判定がＹｅｓの場合はＳ１８に進み、ふろ自動運転を終了する。
【００４９】
次にＳ９において、浴槽３内の人の有無を判定する。浴槽３内の人を検知して判定がＹｅｓの場合はＳ１１に進む。浴槽３内に人を検知せず判定がＮｏの場合は、Ｓ１０に進んで初期湯張り温度Ｔｓの保温運転を行いＳ８に戻る。
【００５０】
次にＳ１１において、Ｓ７で設定した設定遅延時間ｔｃが経過したか否か判定する。設定遅延時間ｔｃが経過するまでＳ１１の判定を繰り返し、設定遅延時間ｔｃが経過したらＳ１２に進み、浴槽目標温度Ｔｇに加熱する追焚運転を行ってＳ１３に進む。
【００５１】
次にＳ１３において、ふろ自動運転開始から保温時間が経過していないか判定する。保温時間が経過しておらず判定がＮｏの場合はＳ１４に進む。保温時間が経過して判定がＹｅｓの場合はＳ１８に進み、ふろ自動運転を終了する。
【００５２】
次にＳ１４において、浴槽３内の人の有無を判定する。浴槽３内の人を検知して判定がＹｅｓの場合はＳ１３に戻る。浴槽３内に人を検知せず判定がＮｏの場合は、Ｓ８に戻る。
【００５３】
一方、Ｓ２において安心入浴が設定されておらず判定がＮｏの場合、Ｓ１５において浴槽目標温度Ｔｇで湯張りを行った後、Ｓ１６において、ふろ自動運転開始から保温時間が経過していないか判定する。保温時間が経過しておらず判定がＮｏの場合はＳ１７に進み、浴槽目標温度Ｔｇの保温運転を行ってＳ１６に戻る。保温時間が経過して判定がＹｅｓの場合はＳ１８に進んでふろ自動運転を終了する。
【００５４】
以上の説明のように、給湯システム１は、ふろ自動運転において安心入浴が設定されている場合に、入浴開始時の浴槽温度を浴槽目標温度Ｔｇより設定温度Ｔｄだけ低い初期湯張り温度Ｔｓにする。これにより、入浴時の収縮期血圧の最高値を低く抑えることができるので安全性を確保できる。また、入浴開始から設定遅延時間ｔｃが経過して収縮期血圧の最高値となった後に浴槽３の湯水が浴槽目標温度Ｔｇに加熱される。これにより、予め設定した浴槽目標温度Ｔｇでの入浴が可能なので快適性を確保することができる。
【００５５】
また、入浴時の湯温が高いほど入浴開始から収縮期血圧の最高値となるまでの時間が長くなることに対応させて、初期湯張り温度Ｔｓに応じて設定遅延時間ｔｃを設定する。これにより、収縮期血圧の最高値となった後の血圧が低下する状態で浴槽３の湯水を浴槽目標温度Ｔｇに加熱することができるので、収縮期血圧の最高値が高くなるように加熱されることがなく安全性を確保することができる。さらに、初期湯張り温度Ｔｓが低いほど浴槽目標温度Ｔｇに加熱するタイミングが早くなるので、快適性を一層向上させることができる。その上、浴槽目標温度Ｔｇと設定温度Ｔｄを夫々変更して入浴開始時の初期湯張り温度Ｔｓを設定できるので、入浴者が望む快適な入浴が可能である。
【００５６】
また、浴室温度が基準浴室温度以上に暖かい場合や外気温度が基準外気温度以上に暖かい場合には、皮膚血管が収縮し難く、入浴前に血圧が高い状態にならない。そのため、入浴時の収縮期血圧の最高値が高くならず、収縮期血圧の最高値となるまでの時間が短いので、設定遅延時間ｔｃを短縮しても安全性を確保できると共に、設定遅延時間ｔｃの短縮により入浴の快適性を一層向上させることができる。
【００５７】
また、湯張り状態の浴槽水位が基準水位以下の場合には、人が入浴しても浴槽水位が低く、水圧による血圧上昇が抑えられる。そのため収縮期血圧の最高値が高くならず、収縮期血圧の最高値となるまでの時間が短いので、設定遅延時間ｔｃを短縮しても安全性を確保できると共に、設定遅延時間ｔｃの短縮により入浴の快適性を一層向上させることができる。
【００５８】
入浴が終わって浴槽３に人を検知せず、初期湯張り温度Ｔｓの保温運転をする際に、例えば注水して初期湯張り温度Ｔｓに温度調節するように構成してもよい。このような構成であれば、次の入浴者の安全性確保に有利である。
【００５９】
その他、当業者であれば、本発明の趣旨を逸脱することなく、前記実施形態に種々の変更を付加した形態で実施可能であり、本発明はそのような変更形態を包含するものである。
【符号の説明】
【００６０】
１      給湯システム
２      給湯器
３      浴槽
４      循環通路
５      リモコン（操作手段）
６      水位センサ（浴槽水位検知手段、人検知手段）
７      浴室温度センサ（浴室温度検知手段）
１５    浴槽温度センサ（浴槽温度検知手段）
１６    外気温度センサ（外気温度検知手段）
１７    制御手段
２２    ふろ自動ＳＷ
Ｔｄ    設定温度
Ｔｇ    浴槽目標温度
Ｔｓ    初期湯張り温度
ｔｃ    設定遅延時間
ｔｗ    遅延時間
【図１】
2018084383.tif 000003
【図２】
2018084383.tif 000004
【図３】
2018084383.tif 000005
【図４】
2018084383.tif 000006
【図５】
2018084383.tif 000007